(57)【要約】【課題】  下地構成材の所望位置に確実に安定的に吸着でき、他の構成材を確実に安定的に仮固定でき、取扱い易く、汎用性があり、使い勝手に優れ、熟練を要さず、能率が良く、正確な作業が行え、位置合せが正確に容易に行え、構成簡素で、製造し易く、量産に適し、製造コストや、工事コスト等を抑制でき、経済的に優れた鋼製下地材用仮固定具を提供する。【解決手段】  正面がわを開放した略偏平矩形ボックス状の磁石収納ケース１と、磁石収納ケース１の背面がわに連設する把手４と、磁石収納ケース１内に固定する永久磁石６と、磁石収納ケース１の開放部分を塞ぐように固定するシート材７と、磁石収納ケース１の周壁部３の一片部分に連設すると共に、磁石収納ケース１の正面に対して直交するよう突出する突出側板５とを備える。【選択図】図３
0003102382.tif 000002
【実用新案登録請求の範囲】
【請求項１】
適宜建築工事現場に於いて壁下地や天井下地等を組立てる際に使用される鋼製下地材用仮固定具であって、正面がわが開放された略偏平矩形ボックス状の磁石収納ケースと、磁石収納ケースの背面がわに連設される把手と、磁石収納ケース内に固定される永久磁石と、磁石収納ケースの開放部分を塞ぐように固定されるシート材と、磁石収納ケースの周壁部の一片部分に連設されると共に、磁石収納ケースの正面に対して直交するように突出する突出側板とを備えたことを特徴とする鋼製下地材用仮固定具。
【請求項２】
前記磁石収納ケースを磁性体で構成したことを特徴とする請求項１記載の鋼製下地材用仮固定具。
【請求項３】
前記把手を略コ字状或いは略Ｌ字状に形成して、適宜鋼製材や鋼製下地材等を把手に載置或いは掛止できるよう構成したことを特徴とする請求項１または請求項２記載の鋼製下地材用仮固定具。
【考案の詳細な説明】
【技術分野】
【０００１】
本考案は、主に、適宜建築工事現場に於いて壁下地や天井下地等を組立てる際に使用される鋼製下地材用仮固定具に係り、鋼製の壁下地構成材や天井下地構成材や間柱等の所望位置に磁石の吸着力を利用して吸着させられ、しかも、他の鋼製構成材（例えば、スタッド、ランナー、スペーサー、補強材、振れ止め、野縁等）を所望位置に固定（例えば、ネジ止め手段等）するまでの間、確実に且つ安定的に仮固定しておけるようにした鋼製下地材用仮固定具に関するものである。
【背景技術】
【０００２】
従来から壁下地や天井下地等を組立てる際には、例えば、既に固定してある下地構成材等の所望位置に、これから取付けようとする他の構成材を、一方の手で支持すると共に、他方の手で下地構成材にネジ止めしていた。
また、例えば、特許文献１に示すような建物の鋼製壁下地構造用スペーサー等が提案されるようになり、これはスタッドの開口部に嵌合的に取り付けるスペーサーであって、前記スタッドに磁力で吸着するものである。
【０００３】
【特許文献１】実開平７−２９１１１号公報
【考案の開示】
【考案が解決しようとする課題】
【０００４】
しかしながら、従来のように、一方の手で他の構成材を支持すると共に、他方の手で他の構成材を下地構成材にネジ止めする手段は、作業能率が悪いと共に、正確な作業が行い難い等の問題点等があった。
【０００５】
また、特許文献１で開示されているような手段にあっては、例えば、構成材（スペーサー）夫々に板状磁石を予め固着しなければならず、構成材自体の材料コストがかなり高くなると共に、その製造が面倒となって、製造コストも高くなり、これが製品価格や、工事価格に反映されて、経済性を圧迫する等の難点があった。
【０００６】
そこで、本願出願人は、作業能率が良く、取扱い易く、正確な作業が熟練を要することなく簡単に行え、汎用性があり、構成が簡素で、製造し易く、量産に適し、製造コストや、工事コスト等を抑制でき、経済的にも優れた鋼製下地材用仮固定具を提供できるように案出した。
【課題を解決するための手段】
【０００７】
しかして、前述の如き課題等を達成すべく、請求項１記載の鋼製下地材用仮固定具にあっては、適宜建築工事現場に於いて壁下地や天井下地等を組立てる際に使用される鋼製下地材用仮固定具であって、正面がわが開放された略偏平矩形ボックス状の磁石収納ケース１と、磁石収納ケース１の背面がわに連設される把手４と、磁石収納ケース１内に固定される永久磁石６と、磁石収納ケース１の開放部分を塞ぐように固定されるシート材７と、磁石収納ケース１の周壁部３の一片部分に連設されると共に、磁石収納ケース１の正面に対して直交するように突出する突出側板５とを備える手段を採用した。
【０００８】
また、請求項２記載の鋼製下地材用仮固定具にあっては、前記磁石収納ケース１を磁性体で構成する手段を採用した。
【０００９】
更に、請求項３記載の鋼製下地材用仮固定具にあっては、前記把手４を略コ字状或いは略Ｌ字状に形成して、適宜構成材１１や下地構成材１０等を把手４に載置或いは掛止できるよう構成する手段を採用した。
【考案の効果】
【００１０】
従って、本考案の請求項１記載の鋼製下地材用仮固定具によれば、磁石収納ケース１内に固定される永久磁石６によって、壁下地構成材や天井下地構成材や間柱等の既に固定されている下地構成材１０の所望位置に確実に且つ安定的に吸着できるようになる。
更に、この仮固定具（或いは既に固定されている下地構成材１０）に、他の構成材１１を確実に且つ安定的に仮固定しておけるようになる。すなわち、他の構成材１１は、永久磁石６によって吸着させておくことが可能であり、或いは、磁石収納ケース１や突出側板５や把手４等に掛止（或いは、載置）させておくことも可能であり、取扱い易く、汎用性があり、使い勝手の優れた仮固定具となる。ひいては、作業者は両手が自由に使え、他の構成材１１を既に固定されている下地構成材１０等に熟練を要することなく簡単にネジ止めでき、作業能率が良く、正確な作業が行えるようになる。
しかも、仮固定具自体の構成が簡素で、製造し易く、量産に適し、製造コストや、工事コスト等を抑制でき、経済的に優れた鋼製下地材用仮固定具となる。
【００１１】
特に、磁石収納ケース１の開放部分を塞ぐようにシート材７を固定してあるので、シート材７の柔軟性によって吸着部分の損傷等を確実に防止できるようになる。
【００１２】
更に、磁石収納ケース１の背面がわに把手４を連設したので、その取扱いがより容易となる。
【００１３】
そして、磁石収納ケース１の周壁部３の一片部分に連設されると共に、磁石収納ケース１の正面に対して直交するように突出する突出側板５を設けたので、仮固定具自身や他の構成材１１等の位置合せが正確に且つ容易に行えるようになる。しかも、突出側板５によって他の構成材１１等を圧迫するように使用することも可能となり、他の構成材１１の仮固定状態がより確実となる。
【００１４】
加えて、磁石収納ケース１を正面がわが開放された略偏平矩形ボックス状としたので、磁石収納ケース１の外周面が直角な基準面となり、より正確な仮固定が可能となる。
【００１５】
また、本考案の請求項２記載の鋼製下地材用仮固定具によれば、永久磁石６を利用した吸着力がより増すようになる。
【００１６】
更に、本考案の請求項３記載の鋼製下地材用仮固定具によれば、他の構成材１１を把手４に簡単に且つ安定的に載置或いは掛止させておくことができるようになり、より取扱い易く、汎用性や、使い勝手の優れた鋼製下地材用仮固定具となる。
【考案を実施するための最良の形態】
【００１７】
以下、本考案を図示例に基づいて説明すると、次の通りである。
本考案の鋼製下地材用仮固定具は、主に、適宜建築工事現場に於いて壁下地や天井下地等を組立てる際に使用されるものであって、鋼製の壁下地構成材や天井下地構成材や間柱等の予め固定された適宜下地構成材１０（例えば、スタッド、ランナー、補強材、振れ止め、野縁等）の所望位置に磁石の吸着力を利用して吸着させることができ、しかも、他の鋼製構成材１１（例えば、スタッド、ランナー、スペーサー、補強材、振れ止め、野縁等）を、下地構成材１０の所望位置に固定（例えば、ネジ止め手段等）するまでの間、確実に且つ安定的に仮固定しておけるようにしたものである。
【実施例】
【００１８】
具体的には、正面がわが開放された略偏平矩形ボックス状の磁石収納ケース１と、この磁石収納ケース１の背面がわ中央に連設される把手４と、磁石収納ケース１内中央に固定される略四角環状の永久磁石６と、磁石収納ケース１の開放部分を塞ぐように固定される略矩形板状のシート材７と、磁石収納ケース１の周壁部３の一片部分に連設されると共に、磁石収納ケース１の正面に対して直交するように突出する略矩形状の突出側板５とで構成されている。
【００１９】
そして、前記磁石収納ケース１は、例えば、鋼板材（或いは、適宜合成樹脂材や、適宜複合材で構成しても良い）等の磁性体（非磁性体でも良い）で構成され、正方形状（或いは、長方形状でも良いし、その他の形状でも良い）の基板部２と、この基板部２の周縁部分に連設される略短角筒状の周壁部３とからなっている。
尚、磁石収納ケース１の具体的構成、形状、寸法、材質、基板部２の具体的構成、形状、寸法、材質、周壁部３の具体的構成、形状、寸法、材質等は図示例のもの等に限定されることなく、適宜自由に設定、変更できるものである。
【００２０】
前記把手４は、例えば、適宜金属材や適宜合成樹脂材や適宜複合材等によって略コ字状或いは略Ｌ字状に構成されており、手指で握り易く形成されている。しかも、適宜構成材１１や下地構成材１０等を把手４に載置或いは掛止できるよう構成されている。すなわち、他の構成材１１を把手４に簡単に且つ安定的に載置或いは掛止でき、取扱い易く、汎用性や、使い勝手に優れたものとなるよう構成してある。
ところで、把手４を略コ字状に形成した場合は、その基片部が磁石収納ケース１の基板部２に対して平行となるように配すると共に、基片部両端に直角に連設した折曲片部が基板部２に対して直交するように配されている。しかも、基片部の両端部分には係止突片４ａを夫々延設し（図１、図２参照）、把手４の折曲片部の上に載置された構成材１１の脱落が係止突片４ａによって確実に阻止できるように構成されている。
尚、把手４の具体的構成、形状、寸法、材質、配設位置、数、係止突片４ａの具体的構成、形状、材質、配設位置、数等は図示例のもの等に限定されることなく、適宜自由に設定、変更できるものである。
【００２１】
前記突出側板５は、例えば、適宜金属材や適宜合成樹脂材や適宜複合材等によって略矩形板状に構成されており、磁石収納ケース１の周壁部３の一片部分の外側面に固定したり、或いは、周壁部３の一片部分を延長するように固定（或いは、延設）されている。
そして、この突出側板５は、下地構成材１０の側面等に当接せしめて、構成材１１の固定位置や水平（或いは垂直）が出せるようにしたり、野縁受けに野縁を仮止めする際に利用できるように構成されている。
尚、突出側板５の具体的構成、形状、寸法、材質、配設位置、数、具体的利用手段等は図示例のもの等に限定されることなく、適宜自由に設定、変更できるものである。
【００２２】
前記永久磁石６は、例えば、磁石収納ケース１内の中央に固定される比較的大きな略圧肉四角環状（或いは略圧肉円環状でも良い）を呈するものが利用されており、比較的強力な吸着力を発揮できるものが採用される。
尚、永久磁石６の具体的構成、形状、寸法、材質、配設位置等は図示例のもの等に限定されることなく、適宜自由に設定、変更できるものである。
【００２３】
前記シート材７は、例えば、比較的柔軟な合成製樹脂材によって構成されると共に、磁石収納ケース１の開放部分を完全に塞ぐような略正方形の板状を呈しており、吸着部分に当接することによって、吸着部分を傷つけたりすることがないように構成されている。
ところで、このシート材７は、例えば、比較的柔軟に構成されているゴム磁石によって構成しても良く、この場合は、永久磁石６の強力な吸着力が比較的広い面積で発揮されるようになる。
尚、シート材７の具体的構成、形状、寸法、材質、配設状態等は図示例のもの等に限定されることなく、適宜自由に設定、変更できるものである。
【図面の簡単な説明】
【００２４】
【図１】本考案の鋼製下地材用仮固定具を例示する分解斜視図である。
【図２】本考案の鋼製下地材用仮固定具を例示する側面図である。
【図３】本考案の鋼製下地材用仮固定具を例示する平断面図である。
【符号の説明】
【００２５】
１    磁石収納ケース      ２    基板部
３    周壁部
４    把手                ４ａ  係止突片
５    突出側板            ６    永久磁石
７    シート材
１０  鋼製下地材          １１  鋼製材
【図１】
0003102382.tif 000003
【図２】
0003102382.tif 000004
【図３】
0003102382.tif 000005